(57)【要約】【課題】上下水車に水槽が等間隔に取り付けられたベルトを掛け回し、水流の落差距離分高低差のある楕円形状水車を構築設置し、楕円形状水車片側各水槽に上部より順次流水を取り込み各水槽内水重量の落差分加算された水重量でのベルト移動で上下水車を回転させ、連動された発電機で電力を生産する事を課題とする。【解決手段】堰脇に落差距離分上下に支軸によって支えられた歯車形状水車に噛み合わせ穴が設けられたベルトを掛け回し、楕円形状水車を構築設置し、ベルト部に一部シート素材で作成された水槽を等間隔に取り付け、楕円形状水車片側上部で各水槽に順次流水を取り込み、一部シート素材使用水槽内水重量の落差距離分加算された水重量でのベルト移動により楕円形状水車の回転が開始され、回転時において一部シート素材使用水槽の形状変化により水槽反転が可能になり、各水槽内に流水の取り込みを安易にし、水槽内貯水量増にもつながる事で水の重量エネルギーを最大限発電エネルギーに利用する事を特長とする。【選択図】        図１
2017180265.tif 000002
【特許請求の範囲】
【請求項１】
河川等に堰を設け水流に落差を作り出し、堰脇に流水量に応じた水槽が等間隔に取り付けられたベルトを落差距離上下の支軸により支えられた水車に掛け回し、楕円形状に構築された水車を設置し、楕円形状水車片側ベルトに取り付け吊り下げられた各水槽に上部より順次流水を取り込み、水槽内水重量の落差分加算水重量でのベルト移動で、支軸に支えられ落差距離上下に設置された水車の回転エネルギーで電力生産が可能な水の重力利用水力発電装置
【請求項２】
楕円形状水車ベルト部に取り付け吊り下げられた水槽枠以外防水シートを使用する事で、水槽の形状変化による楕円形状水車での水槽反転が可能になり、各水槽上部での流水取り込みを安易にし、水槽内水貯水増により水の重量エネルギーを最大限に利用する事ができる防水シート使用請求項１記載の水の重力利用水力発電装置
【請求項３】
楕円形状水車ベルト部に等間隔に取り付け吊り下げられた各水槽上下を連結させ、水槽反転時での水槽内給排水を完全に行う事が可能な各水槽上下を連結させ、水槽反転時において完全なる水槽内給排水が可能な請求項１記載水の重力利用水力発電装置
【請求項４】
楕円形水車構築時において、堰脇設置の落差距離上下に支軸により支えられた水車を歯車形状にし、掛け回されたベルトに噛み合わせ穴を設け、楕円形水車の回転時での水車とベルトのズレを解消し楕円形水車の安定した回転を行う事が出来る
上下設置水車を歯車形状にし、掛け回されたベルトに噛み合わせ穴を設け、安定した水車回転が維持できる請求項１記載水の重力利用水力発電装置
【請求項５】
楕円形状水車ベルト部に取り付けられた各水槽の水槽支軸と水槽枠とを自在にする事で、楕円形状水車回転時での水槽反転を安易にし、水槽内給排を確実に行う事が出来る。水槽支軸と水槽枠を自在にする事で水槽の反転、給排水が可能な請求項１記載の水の重力利用水力発電装置
【発明の詳細な説明】
【技術分野】
【０００１】
本発明である水の重力利用発電装置は、勾配で生じる水流に堰を設け水流に落差を作り出し、水槽が等間隔に取り付けられたベルトを落差分上下に支軸よって支えられ設置された水車に掛け回し、楕円形水車を構築堰脇に設置し、楕円形水車片側ベルト取り付け各水槽上部で順次流水を取り込み、各水槽内水重量の落差分加算された水重量によるベルト移動で上下設置水車を回転させ、回転エネルギーを発電エネルギーとして利用可能な装置に関する物である
【背景技術】
【０００２】
水力発電で最も効率よく電力生産できるのは、水の落差を利用し水圧でタービンを回転させ電力を生産するダム方式が主流である事は公知である
【０００３】
一方本発明は、落差距離分上下に設置された水車に流水量に応じた水槽が等間隔に取り付けられたベルトを掛け回し、構築された楕円形状水車片側ベルト取り付け各水槽上部で流水を順次水槽内に取り込み、各水槽内水重量の落差分加算された水重量でのベルト移動により上下設置水車を回転させる事が出来、水の重力で電力生産が可能な発電装置であり大規模なダム等に貯水された水の圧力、又河川の水流による発電システムとは異なる。
【発明の概要】
【発明が解決しようとする課題】
【０００４】
河川に堰を設け水流に落差を作り、落差距離分集約された水の重力エネルギーを発電エネルギーとして利用する取り組みはまだ一般的に無い。本発明である水の重力利用発電装置は以上の問題点を解決する事を課題とする
【課題を解決するための手段】
【０００５】
河川等に小規模の堰を設け水流に落差を作り出し、流水量に応じた水槽が等間隔に取り付けられたベルトを落差距離分支軸により支えられ、上下に設置された水車に掛け回し構築された楕円形状水車片側各水槽上部水槽に順次流水を取り込み、各水槽内水重量の落差分加算された水重量でのベルト移動で上下設置水車の回転を作り出す事が出来る
【０００６】
ベルトに水槽支軸により吊り下げ取り付けられた水槽一部をシート素材で形成し、水槽底部を下段水槽支え軸に連結する事で、水槽の形状変化を作りだす事が出来、回転時楕円形水車片側上部での水槽内に流水の取り込みが安易になり、水槽反転をスムーズに行う事が可能である
【０００７】
河川流水量が増大する下流に本発明である楕円形状水車を設置、楕円形状水車ベルト部に吊り下げ取り付けられた水槽容積を大きくする事で、流水落差を多く取ることが出来ない河川下流でより多くの電力生産が可能な装置
【発明の効果】
【０００８】
本発明は課題を解決する為に成された物であり次の効果が得られる
【０００９】
ア  本発明は水の重力により電力の発電エネルギーを生産する装置であり、全国に数多くある河川、上下水道施設等、流水の落差を利用する為クリーンで安価なエネルギー生産が可能な装置
イ  電力消費地に近い場所に本発明装置は設置可能であり、生産された電力の送電費用を大幅に削減する事が出来る
ウ  本発明は、小規模で河川、上下水道施設水利用のクリーンなエネルギー使用で多くの電力生産が可能な装置である為、社会的問題でもあるエネルギー不足に貢献出来る装置である
【図面の簡単な説明】
【００１０】
【図１】本発明の水の重力利用水力発電装置全体斜視図
【図２】本発明の実施形態を示す水の重力利用水力発電装置側断面図
【図３】本発明の水の重力利用発電装置水槽枠説明図１
【図４】本発明の水の重力利用水力発電装置  図３において  Ａ−Ａ断面図
【図５】本発明の水の重力利用水力発電装置水槽説明図
【図６】本発明の極小落差での実施形態を示す水の重力利用水力発電装置
【図７】本発明の水の重力利用水力発電装置組み立て斜視図
【図８】本発明の水の重力発電装置実施形態断面図
【発明を実施するための最良の形態】
【００１１】
河川等の流水に落差を設け、水槽が等間隔に組まれた落差距離高低差のある楕円形水車を構築設置し、楕円形水車片側上部で各水槽に流水を順次取り込み、各水槽内水の
落差距離分加算された水重量エネルギーを発電に利用可能な本発明である水の重力利用水力発電装置の形態を図面に基づいて説明する
【００１２】
図２において、流水落差を作り出す為に河川等に設置された堰１２に水車支軸５，６で支えられた水車２を水車支え器具４で落差距離分上下に取り付け、水槽１が等間隔に取り付けられたベルト１０を掛け回し、楕円水車（図示なし）を堰１２脇に構築設置し、堰１２上部流水取り込み口１３より楕円水車（図示なし）片側ベルト１０取り付け各水槽１上部で流水を順次取り込み、各水槽１内水重量の落差分加算された水重量でのベルト１０移動で楕円水車（図示なし）の回転が開始される
【００１３】
図１において、図２においての堰１２脇に構築設置された楕円水車（図示なし）ベルト１０部取り付け水槽１を横長に形成し、楕円水車（図示なし）上部での流水取り込みにおいて水槽１の流水取り込み部分を幅広くし、低落差で多くの流水を水槽１内に確保する事が可能である
【００１４】
図３において、水槽支軸３に吊り下げらえれた水槽枠１１を自在にし、楕円水車（図示なし）回転時において楕円水車（図示なし）上低部での水槽１反転が可能であり、水槽１の給排水を安易に行う事が出来る
【００１５】
図４においてベルト１０に等間隔に取り付けた水槽１は、水槽枠１１とシート素材水槽１３との組み合わせで作られた物であり、楕円水車（図示なし）回転時図８において水槽１の形状変化により、各水槽１の給排水を確実に行う事が出来、シート素材水槽１３低部に設けた水槽連結具１４で下段水槽支軸３と連結させる事で楕円水車（図示なし）回転時において水槽１の反転が可能である
【００１６】
図５において、水槽枠１１とシート素材水槽１３とが組み合わされた図１においての水槽１を自在可能な状態で上段水槽支軸３に吊り下げ、シート素材水槽１３低部取り付けの水槽連結具１４で下段水槽支軸３に連結させ、図１においての水槽枠１１とシート素材水槽１３が組み合わされた水槽１を横長にする事で各水槽１内に大量の流水を貯水する事が可能である
【００１７】
図６において、水流の低落差で水車支軸５，６と連動された楕円水車（図示なし）を河川幅に数基堰１２に設置し、河川水取り込み口１３より各楕円水車（図示なし）に河川水を取り込み連動された水車支軸５回転で変速機７を経て、発電機８による水流の低落差での電力生産が可能である
【００１８】
図７において、落差距離上下にベルトが掛け回され水車支軸５，６で支えられた同形状水車（図示なし）を図１においての横長水槽１幅左右に水車支え器具４で堰１２に設置し、水槽１を等間隔に左右ベルトに水平に取り付ける事で楕円水車（図示なし）を構築する事が出来る
【００１９】
図８において、水車支軸５，６で落差距離上下に設置された水車２に掛け回されたベルト１０に等間隔に取り付けらえた水槽１は水槽枠１１と防水シート水槽１３が組み合わされた物であり、回転時での楕円水車（図示なし）上、低で水槽１の形状変化により水槽１反転動作をスムーズに行う事が出来、水槽１内給排水安易にし貯水量増と水槽１の軽量化も可能である
【産業上の利用可能性】
【００２０】
現在、一般的な電力エネルギー生産においての、原子力、火力、水力、風力、太陽光等が代表的であるが、いずれも様々な問題をかかえている。
エネルギー生産の主力である原子力、火力には一旦トラブルが発生した場合、取り返しのつかない惨状を引き起こす可能性がある。又、燃料の高騰、ＣＯ２排出量増による環境問題もかかえる。
風力、太陽光においては未だ発展途上の段階である。
世界でも類をみない水質資源を持つ日本において、唯一クリーンで安全な電力生産が可能な水力発電においても、建設費用、建設年数等の諸問題を抱え、今以上の電力生産は難しい状況である
【００２１】
本発明は、全国に点在する河川、上下水道施設を利用し、未だ研究がなされていない流水の小落差を利用し落差距離分加算された水重量エネルギーで多くの電力生産が可能であり、一定量の水を増幅させ小規模の水力発電装置で大きな発電エネルギーの生産が可能な本発明である水の重力利用水力発電装置を、点在する河川、上下水道施設等に設置する事で、社会が求めるクリーンで安全かつ安価な電力を供給出来、原子力、火力、風力、太陽光等での発電が現在抱えている問題点を大幅に改善する事に役立つものと考える
【符号の説明】
【００２２】
１、  水槽  ２、水車  ３、水槽支軸  ４、水車支え器具  ５、上部水車支軸  
６、下部水車支軸  ７、変速機  ８、発電機  ９、シャフト  １０、ベルト
１１、水槽枠  １２、堰  １３、シート素材水槽  １４、水流取り込み口
１５、河川
【図１】
2017180265.tif 000003
【図２】
2017180265.tif 000004
【図３】
2017180265.tif 000005
【図４】
2017180265.tif 000006
【図５】
2017180265.tif 000007
【図６】
2017180265.tif 000008
【図７】
2017180265.tif 000009
【図８】
2017180265.tif 000010